(57)【要約】【課題】不使用時にパン挿入口を閉じることを可能とし、且つ使用時にコンパクトにすることができるトースターを提供する。【解決手段】本体３の上部に設けられた開口部１８と、前記本体３の内部に設けられ、前記開口部１８から挿入された食パンＢＲを加熱する加熱部としてのヒータ２５と、前記昇降レバー８と、前記開口部１８を開閉可能に覆う前記蓋体１６を備えたトースター１において、前記本体３の下部に、前記蓋体１６を収納する蓋体収納部１５Ａを備えることで、前記トースター１の不使用時に前記開口部１８から塵埃等の異物が前記本体３内部に混入することを防止すると共に、使用していない前記蓋体１６を前記本体３に収納することで、使い勝手が良くコンパクトなトースターを提供することができる。【選択図】図７
2015016245.tif 000002
【特許請求の範囲】
【請求項１】
本体の上部に設けられたパン挿入口と、
前記本体の内部に設けられて前記パン挿入口から挿入されたパンを加熱する加熱部と、
昇降レバーと、
前記パン挿入口を開閉可能に覆う蓋体を備えたトースターにおいて、
前記本体に、前記蓋体を収納する蓋体収納部を備えたことを特徴とするトースター。
【請求項２】
前記蓋体の収納時に、前記昇降レバーの下降を可能にする制限手段を設けたことを特徴とする請求項１に記載のトースター。
【請求項３】
前記本体の下部に、前記本体内部で生じたパン屑を受ける屑受け皿と、
この屑受け皿を収納する屑受け皿収納部とを備え、前記蓋体収納部が、前記屑受け皿収納部よりも下方に設けられることを特徴とする請求項１に記載のトースター。
【請求項４】
前記蓋体は前記屑受け皿とは異なる方向から前記本体に収納されることを特徴とする請求項３に記載のトースター。
【発明の詳細な説明】
【技術分野】
【０００１】
本発明は、いわゆるポップアップ式と呼ばれるトースターに関するものであり、特に、開口部に蓋体を備えたトースターに関するものである。
【背景技術】
【０００２】
従来、この種のトースターとしては、本体の上部にスライスパンを挿入するパン挿入口を設け、このパン挿入口から挿入されたスライスパンを本体内部の加熱部によって加熱調理するものが広く知られている。ところが、こうしたトースターは、パン挿入口が常にむき出しになっており、不使用時にパン挿入口から本体内に塵埃等の異物が混入する虞があった。
【０００３】
そこで、上記の問題を解決するものとして、パン挿入口にシャッターを備え、不使用時にパン挿入口をシャッターで閉じるトースターがある（例えば、特許文献１参照。）。
【先行技術文献】
【特許文献】
【０００４】
【特許文献１】特許第４４７８５０３号公報
【発明の開示】
【発明が解決しようとする課題】
【０００５】
前述した特許文献１のトースターでは、シャッター部分の構造が大がかりなものとなり、トースター全体が大きくなるという問題点があった。
【０００６】
本発明は以上の問題点を解決し、不使用時にパン挿入口を閉じることを可能とし、且つ使用時にコンパクトにすることができるトースターを提供することを目的とする。
【課題を解決するための手段】
【０００７】
本発明の請求項１に記載のトースターは、本体の上部に設けられたパン挿入口と、前記本体の内部に設けられて前記パン挿入口から挿入されたパンを加熱する加熱部と、昇降レバーと、前記パン挿入口を開閉可能に覆う蓋体を備えたトースターにおいて、前記本体に、前記蓋体を収納する蓋体収納部を備えたことを特徴とするものである。
【０００８】
本発明の請求項２に記載のトースターは、請求項１において、前記蓋体の収納時に、前記昇降レバーの下降を可能にする制限手段を設けたことを特徴とするものである。
【０００９】
本発明の請求項３に記載のトースターは、請求項１において、前記本体の下部に、前記本体内部で生じたパン屑を受ける屑受け皿と、この屑受け皿を収納する屑受け皿収納部とを備え、前記蓋体収納部が、前記屑受け皿収納部よりも下方に設けられることを特徴とするものである。
【００１０】
本発明の請求項４に記載のトースターは、請求項３において、前記蓋体は前記屑受け皿とは異なる方向から前記本体に収納されることを特徴とするものである。
【発明の効果】
【００１１】
本発明の請求項１に記載のトースターは、以上のように構成することにより、トースターの不使用時に前記パン挿入口を前記蓋体で覆うことで、前記パン挿入口から塵埃等の異物が本体内部に混入することを防止することができる。また、使用していない前記蓋体を前記本体に収納することで、使い勝手が良くコンパクトなトースターを提供することができる。
【００１２】
なお、前記蓋体の収納時に、前記昇降レバーの下降を可能にする制限手段を設けたことで、前記蓋体を本体から取り外して前記パン挿入口を塞いだ場合に、前記昇降レバーの下降を規制して、トースターの不使用時に昇降レバーが下降して加熱部が作動してしまうことを防止することができる。
【００１３】
また、前記蓋体を本体の屑受け皿の下方に収納可能とすることで、本体に対して蓋体と屑受け皿を上下に重ねてコンパクトに収納することができると共に、本体内部で生じたパン屑を屑受け皿で良好に受けることができる。
【００１４】
また、蓋体が屑受け皿とは異なる方向から本体に収納されることで、蓋体の取手と屑受け皿の取手が上下方向に重なることを回避して、トースターが上下方向に大きくなることを抑制できる。
【図面の簡単な説明】
【００１５】
【図１】本発明の一実施形態のトースターにおいて、開口部を蓋体で塞いだ状態を示す正面図である。
【図２】同、開口部を蓋体で塞いだ状態を示す平面図である。
【図３】同、開口部を蓋体で塞いだ状態を示す底面図である。
【図４】同、蓋体収納部に蓋体を収納した状態を示す平面図である。
【図５】同、蓋体収納部に蓋体を収納した状態を示す底面図である。
【図６】同、Ａ−Ａ断面図である。
【図７】同、Ｂ−Ｂ断面図である。
【図８】同、蓋体収納部に蓋体を収納した状態を示すＡ−Ａ断面図である。
【図９】同、Ｃ−Ｃ断面図である。
【図１０】同、蓋体の斜視図である。
【発明を実施するための形態】
【００１６】
以下、本発明の一実施形態について、図１乃至図１０に基づいて説明する。１は本発明のトースターである。このトースター１は、上方に開口部２を有する本体３と、この本体３内に設けられる焼成ユニット４と、図示しない制御回路を有して構成されている。
【００１７】
前記本体３は、上外殻体５と下外殻体６とを有して構成されている。前記上外殻体５にはレバー用凹部７が形成されており、このレバー用凹部７に昇降レバー８が昇降自在に設けられている。なお、この昇降レバー８の昇降に連動して、後述するパン受け部２６が昇降するように構成されている。また、前記上外殻体５には、摘み用凹部９が形成されており、この摘み用凹部９から突出した図示しない可変抵抗の回動軸に回動摘み１０が取り付けられている。なお、前記可変抵抗は、食パンＢＲの焼き時間を調節するためのものである。更に、前記上外殻体５には、電源スイッチ、リセットスイッチ等の各種操作手段１１を備えている。また、前記下外殻体６にはボス１２が形成されており、このボス１２に前記焼成ユニット４が取り付けられて、この焼成ユニット４は前記上外殻体５内に配設されている。更に、前記下外殻体６の一側面部には第１の引出口１３が形成されており、この第１の引出口１３から前記本体３内部に水平方向に連通して形成された屑受け皿収納部１３Ａ内に屑受け皿１４を挿入可能に備えている。なお、１４Ａは、前記屑受け皿１４の取手である。また、前記下外殻体６の他側面部には、第２の引出口１５が形成されており、この第２の引出口１５から前記本体３内部に水平方向に連通して形成された蓋体収納部１５Ａ内に前記トースター１の蓋体１６を収納可能に備えている。即ち、前記屑受け皿１４と蓋体１６は、前記トースター１の本体３に対しそれぞれ異なる方向から収納可能となっている。従って、前記屑受け皿１４の取手１４Ａと、前記蓋体１６の後述する取手４１は、前記トースター１の本体３の異なる位置に露出する。このため、前記屑受け皿１４と前記蓋体１６を同時に収納した場合に、前記屑受け皿１４の取手１４Ａと前記蓋体１６の取手４１とが上下方向に重ならないので、前記トースター１の上下方向の寸法が大きくなることを抑制できる。尚、前記蓋体収納部１５Ａは前記屑受け皿収納部１３Ａの下部に形成される。従って、前記本体３内部で生じたパン屑は、前記蓋体１６ではなく、前記屑受け皿１４で受けられる。
【００１８】
前記焼成ユニット４は、金属筐体１７を有しており、この金属筐体１７の上部が前記上外殻体５の開口部２から露出していると共に、前記金属筐体１７の上部に、前記パンＢＲを挿入するための開口部１８が形成されている。尚、前記金属筐体１７の開口部１８は、前記開口部２の内側に配置して設けられている。
【００１９】
また、前記金属筐体１７の側面上部には、貫通孔１９が前後それぞれに対で形成されていると共に、前記金属筐体１７の側面中央に、貫通溝２０が上下方向に形成されている。更に、前記金属筐体１７の側面下部には、軸受孔２１が前後それぞれに対で形成されている。そして、前記焼成ユニット４の金属筐体１７の内部には、複数の金属線材を格子状に結合して形成された保持枠２２が軸２３を中心として揺動自在に一対設けられている。なお、前記保持枠２２は、前記金属筐体１７に形成された前記軸受孔２１によって揺動自在に支持されている。また、前記保持枠２２の上部には、それぞれ折曲部２４が形成されている。
【００２０】
そして、これらの折曲部２４は、前記貫通孔１９を通って前記金属筐体１７の外部に露出している。そして、前記金属筐体１７の内面と前記保持枠２２との間に、ヒータ２５が対向して設けられている。更に、前記金属筐体１７の略中央には、前記保持枠２２間及びヒータ２５間で食パンＢＲを昇降させるパン受け部２６が設けられている。なお、このパン受け部２６の一端は、前記貫通溝２０を介して前記金属筐体１７の外部に露出していると共に、前述した通り、前記昇降レバー８に接続されている。また、前記昇降レバー８には、この昇降レバー８と共に昇降可能に設けた昇降体２７を備えている。
【００２１】
そして、前記昇降体２７にはコイルバネ２８の下端が接続されているとともに、このコイルバネ２８の上端は、ここでは図示しないが前記金属筐体１７の外面上部に接続されている。そして、このコイルバネ２８により前記昇降レバー８及び昇降体２７には上向きの付勢力が付与されている。
【００２２】
また、前記昇降体２７の一側下部に突起部２９を備えるとともに、昇降体２７の他側下部には係止爪部３０を備えている。更に、前記昇降体２７は、前記貫通溝２０と平行に上下方向に立設された軸部材３１に案内されて昇降自在に設けられている。
【００２３】
前記下外殻体６には、阻止部材３２を揺動自在に備えており、この阻止部材３２は、規制部３３と、基部３４と、操作部３５と、接続部３７と、軸部３８とを備えている。前記阻止部材３２は、前記軸部３８を中心として、前記下外殻体６に対し揺動自在に取り付けられている。なお、前記阻止部材３２は、前記蓋体収納部１５Ａ内に前記蓋体１６が収納されていない状態において、前記規制部３３が垂直、前記基部３４が水平となっている。また、前記基部３４は、前記軸部３８を挟んで左右に設けられている。また、前記操作部３５は、前記基部３４の一方から下方に伸びて形成されている。更に、前記接続部３７は、前記基部３４の他方から下方に延びて形成されている。そして、前記接続部３７は、スプリング３６の一端を位置決めしている。
【００２４】
前記操作部３５の下端は、前記下外殻体６の底面部に形成された貫通部３９から、第２の引出口１５に露出可能である。
【００２５】
前記蓋体１６は、金属板により形成された蓋本体４０と、合成樹脂製の取手４１とを備えている。前記蓋本体４０には、前記開口部１８に遊嵌可能な下向き凸状の嵌合部４２を備えると共に、前記蓋本体４０の前記取手４１側に、前記操作部３５を操作可能に上向き凸状に形成された突設部４３を備えている。
【００２６】
また、前記下外殻体６には、前記係止爪部３０と係合可能な係止部（図示せず）を備えた可動係止体４４を備えている。尚、この可動係止体４４は、軸部４５を回動軸として回動自在であると共に、その下部に図示しない鉄板が設けられている。更に、前記可動係止体４４の下方には、電磁石４６が設けられている。
【００２７】
以下に、上記構成の前記トースター１の動作について説明する。先ず、図９に示すようにトースター１に前記蓋体１６を収納してトースター１を使用する場合について説明する。前記蓋体１６が第２の引出口１５から下外殻体６内部に収容されると、前記突設部４３により前記阻止部材３２の操作部３５が上方に押し上げられる。これによって、前記阻止部材３２は、前記スプリング３６からの弾性復元力に抗して、前記軸部３８を回動中心として右回りに回動する。従って、前記規制部３３が右側に傾倒して、前記昇降体２７の突起部２９の直下位置から離脱する。これにより、前記昇降レバー８及び昇降体２７は、この昇降体２７の係止爪部３０と前記可動係止体４４の係止部とが係合可能な位置まで下降可能となる。また、前記昇降レバー８及び昇降体２７を、この昇降体２７の係止爪部３０と前記可動係止体４４の係止部とが係合する位置まで下降させると、図示しない通電スイッチがオンとなり、前記ヒータ２５及び電磁石４６に通電される。更に、前記昇降レバー８及び昇降体２７を下降させると、前記コイルバネ２８が伸張する。これによって、前記昇降レバー８及び昇降体２７は、前記コイルバネ２８の弾性復元力によって、上方に付勢される。
【００２８】
前記トースター１を用いて食パンＢＲを加熱調理する場合、使用者は、前記蓋体１６を下外殻体６の蓋体収納部１５Ａに収容した状態で、予め前記回動摘み１０を操作して、前記食パンＢＲの焼き時間を適宜調節する。そして、前記食パンＢＲを前記開口部１８から前記トースター１の焼成ユニット４内のパン受け部２６上に挿入する。更に、前記昇降レバー８を下げることで、この昇降レバー８と連動する前記パン受け部２６が下降し、前記食パンＢＲが前記焼成ユニット４内の前記ヒータ２５間に配置される。そして、前記昇降体２７の係止爪部３０が前記可動係止体４４の係止部に係止して、前記昇降レバー８及び昇降体２７が仮固定されると、前記ヒータ２５及び電磁石４６が通電される。そして、前記電磁石４６が通電されることで、前記可動係止体４４の鉄板が前記電磁石４６に磁着し、前記可動係止体４４の回動が阻止される。これによって、前記昇降レバー８及び昇降体２７が固定される。
【００２９】
そして、前記回転摘み１０によって設定された時間が経過すると、前記ヒータ２５への通電が停止すると共に、前記電磁石４６への通電も停止する。そして、この電磁石４６への通電が停止すると、この電磁石４６の磁力によって回動阻止されていた前記可動係止体４４が、前記軸部４５を回動中心として回動可能となる。ここで、伸張した前記コイルバネ２８により、前記昇降レバー８及び昇降体２７が上向きに付勢されているので、この付勢力によって前記可動係止体４４の係止部が上方に持ち上げられることで、前記可動係止体４４が軸部４５回りに回動し、前記係止爪部３０と前記可動係止体４４の係止部との係合が解除される。更に、前記コイルバネ２８の復元により、前記パン受け部２６が上昇し、前記ヒータ２５によって焼かれた食パンＢＲが前記開口部１８から取り出し可能となる。
【００３０】
なお、前記食パンＢＲからは、パン屑が落下することがある。そして、このパン屑は、前記屑受け皿１４で受けられる。そして、この屑受け皿１４で受けられたパン屑は、食パンＢＲの加熱調理終了後に、前記屑受け皿収納部１３Ａから屑受け皿１４を引き出すことで、ごみ箱等に捨てることができる。なお、前述した通り、前記屑受け皿１４の取手１４Ａと前記蓋体１６の取手４１が、前記トースター１の本体３の異なる位置に露出しているので、使用者は前記取手１４Ａを容易に掴んで引き出すことができる。
【００３１】
次に、図７に示すように、前記トースター１の不使用時、即ち前記蓋体１６を第２の引出口１５から取り外し、前記トースター１の金属筐体１７の開口部１８を塞ぐために前記蓋体１６を用いる場合について説明する。前記蓋体１６を第２の引出口１５から取り外すと、前記阻止部材３２は、前記スプリング３６の弾性復元力により、前記軸部３８を中心に、左回りに回動する。この結果、前記基部３４は水平姿勢となり、前記操作部３５は下降して前記貫通部３９から露出すると共に、前記規制部３３は垂直に起立する。これにより、前記規制部３３は、前記昇降体２７の突起部２９の直下位置に配置される。この結果、前記昇降体２７を下降させると、この昇降体２７の突起部２９と前記阻止部材３２の規制部３３とが当接し、前記昇降体２７がその位置から下方へは下降しないように規制される。つまり、図７の状態では、前記昇降体２７の係止爪部３０と前記可動係止体４４の係止部とが係合する位置まで、前記昇降体２７が下降できないため、通電スイッチがオンとならず、前記ヒータ２５は通電不能の状態となる。
【００３２】
そして、前記蓋体１６は、前記本体３の焼成ユニット４の上部に対して、前記嵌合部４２を前記開口部１８に遊嵌させた状態で設置され、前記開口部１８を閉塞して、前記焼成ユニット４内部に塵埃等の異物が混入するのを防ぐことができる。ここで、前記嵌合部４２が前記開口部１８に遊嵌されるため、前記蓋体１６は、前記焼成ユニット４の上部に対して位置決めされ、前記蓋体１６が前記焼成ユニット４から不用意に脱落することを防止できる。
【００３３】
以上のように、本実施形態の前記トースター１は、前記本体３の上部に設けられたパン挿入口としての焼成ユニット４の開口部１８と、前記本体３の内部に設けられ、前記開口部２から挿入された食パンＢＲを加熱する加熱部としてのヒータ２５と、前記昇降レバー８と、前記開口部２を開閉可能に覆う前記蓋体１６を備えたトースター１において、前記本体３の下部に、前記蓋体１６を収納する前記蓋体収納部１５Ａを備えたことで、前記トースター１の不使用時に前記開口部１８から塵埃等の異物が前記本体３内部に混入することを防止すると共に、使用していない前記蓋体１６を前記本体３に収納することで、使い勝手が良くコンパクトなトースターを提供することができる。
【００３４】
また、前記蓋体１６を前記蓋体収納部１５Ａへ収納した時に、前記昇降レバー８の下降を可能にする制限手段としての阻止部材３２を設けたことにより、前記蓋体１６を前記本体３から取り外して前記開口部２を塞いだ場合に、前記昇降レバー８の下降を規制して、前記トースター１の不使用時に前記昇降レバー８が下降してヒータ２５が作動してしまうことを防止することができる。
【００３５】
また、前記本体３の下部に、前記本体３内部で生じたパン屑を受ける屑受け皿１４と、この屑受け皿１４を収納する屑受け皿収納部１３Ａとを備え、前記蓋体収納部１５Ａが、前記屑受け皿収納部１３Ａよりも下部に設けられることで、前記本体３内で前記蓋体１６と前記屑受け皿１４を上下に重ねてコンパクトに収納できると共に、前記蓋体１６が邪魔になることなく、本体３内部で生じたパン屑を良好に前記屑受け皿１４で受けることができる。
【００３６】
更に、前記蓋体１６を、前記本体３に対して、前記第１の引出口１３とは異なる位置に設けられた第２の引出口１５を介して、前記屑受け皿１４とは異なる方向から前記本体３に収納することで、前記屑受け皿１４と前記蓋体１６を前記本体３に同時に収納した場合に、前記蓋体１６の取手４１と前記屑受け皿１４の取手１４Ａが上下方向に重なることを回避して、前記トースター１が上下方向に大きくなることを抑制できる。
【００３７】
なお、本発明は上述した実施形態に限定されるものではなく、本発明の要旨の範囲内において、種々の変形実施が可能である。例えば、上記実施形態では、ヒータ２５、可動係止体４４、通電スイッチについて適宜変更可能である。
【符号の説明】
【００３８】
１  トースター
３  本体
８  昇降レバー
１３Ａ  屑受け皿収納部
１４  屑受け皿
１５Ａ  蓋体収納部
１６  蓋体
１８  開口部（パン挿入口）
２５  ヒータ（加熱部）
３２  阻止部材（制限手段）
【図１】
2015016245.tif 000003
【図２】
2015016245.tif 000004
【図３】
2015016245.tif 000005
【図４】
2015016245.tif 000006
【図５】
2015016245.tif 000007
【図６】
2015016245.tif 000008
【図７】
2015016245.tif 000009
【図８】
2015016245.tif 000010
【図９】
2015016245.tif 000011
【図１０】
2015016245.tif 000012